【手続補正書】
【提出日】平成24年9月19日(2012.9.19)
【手続補正１】
【補正対象書類名】特許請求の範囲
【補正対象項目名】全文
【補正方法】変更
【補正の内容】
【特許請求の範囲】
【請求項１】
印刷ヘッドの印刷位置を規定するプラテンを備え、前記印刷位置を規定している状態にある閉じ位置と、当該閉じ位置から離れた開き位置との間で移動するプラテンユニットと、
前記プラテンユニットを、前記閉じ位置から第１移動軌跡に沿って前記開き位置に至る途中の途中位置までガイドするガイド機構と、
第１リンクおよび第２リンクが第１ピン節点を介して連結された第１複合リンク、第３リンクおよび第４リンクが第２ピン節点を介して連結された第２複合リンク、及び前記第１複合リンクの前記第１ピン節点と前記第２複合リンクの前記第２ピン節点との間に架け渡されている第５リンクを備え、前記途中位置から前記開き位置まで前記プラテンユニットを第２移動軌跡に沿って移動させる６節リンク機構と、を有し、
前記第１複合リンクの一端および前記第２複合リンクの一端は、前記プラテンユニットの前記閉じ位置から前記開き位置への開き方向に沿って見た場合に、所定の距離だけ離れた第３ピン節点および第４ピン節点に連結され、
前記第１複合リンクの他端および前記第２複合リンクの他端は、前記開き方向に沿って見た場合に、所定の距離だけ離れた部位に第５ピン節点および第６ピン節点を介して連結され、
前記プラテンユニットが前記第１移動軌跡上にある状態では、前記第３ピン節点と前記第５ピン節点との間の第１間隔、および、前記第４ピン節点と前記第６ピン節点との間の第２間隔が共に最大間隔よりも狭く、前記プラテンユニットが前記第２移動軌跡上に移ると、前記第１間隔および前記第２間隔が最大間隔に広がることを特徴とするプラテン支持機構。
【請求項２】
前記ガイド機構は、前記第１移動軌跡を規定するプラテンユニットガイド溝、及び当該プラテンユニットガイド溝に沿ってスライドするスライド部材を備え、
前記プラテンユニットは前記スライド部材を備え、
プリンター本体フレームの側に、前記プラテンユニットガイド溝を備える請求項１に記載のプラテン支持機構。
【請求項３】
前記プラテンユニットは、前記第２複合リンクの前記第６ピン節点の回動中心を規定する軸部材を備え、
前記スライド部材は前記軸部材の両側の軸端部であり、
前記プリンター本体フレームは、前記軸端部に対峙するフレーム部分を備え、
前記フレーム部分に前記プラテンユニットガイド溝が形成される請求項２に記載のプラテン支持機構。
【請求項４】
前記プラテンユニットが前記第２移動軌跡上にある状態で、前記第１間隔、および前記第２間隔を、前記最大間隔に保持する保持機構を有する請求項１ないし３のいずれか１項に記載のプラテン支持機構。
【請求項５】
前記保持機構は引張りコイルばねを備え、
前記引張りコイルばねの一方の第１端は前記第２複合リンクの前記第２ピン節点に連結され、
前記引張りコイルばねの他方の第２端は、前記プリンター本体フレームに取り付けられ、
前記プラテンフレームが前記第２移動軌跡上にある状態で、前記引張りコイルばねが所定の伸び状態に保持される請求項４に記載のプラテン支持機構。
【請求項６】
前記保持機構は引張りコイルばねを備え、
前記引張りコイルばねの一方の第１端は前記第１複合リンクの前記第１ピン節点に連結され、
当該引張りコイルばねの他方の第２端は、前記プリンター本体フレームに取り付けられ、
前記プラテンフレームが前記第２移動軌跡上にある状態で、前記引張りコイルばねが所定の伸び状態に保持される請求項４に記載のプラテン支持機構。
【請求項７】
前記保持機構は、前記６節リンク機構に取り付けたスライド式の伸縮リンクと、前記プリンター本体フレームに設けたリンクガイド面と、を備え、
前記伸縮リンクは、スライド溝が形成されて前記第４ピン節点に一端が連結された固定側リンクと、一端は前記第６ピン節点に連結されるとともに他端は前記スライド溝に差し込まれるスライドピンが取り付けられたスライド側リンクと、を備え、
前記プラテンユニットが前記第１移動軌跡から前記第２移動軌跡に移ると前記スライドピンが前記リンクガイド面に乗り上げて前記伸縮リンクが伸長状態に保持され、前記プラテンユニットが前記第２移動軌跡から前記第１移動軌跡に移ると前記スライドピンが前記リンクガイド面から外れて前記伸縮リンクが伸縮自在になる請求項４ないし６のいずれか１項に記載のプラテン支持機構。
【請求項８】
前記保持機構は、前記６節リンク機構に取り付けたスライド式の伸縮リンクと、前記プリンター本体フレームに設けたリンクガイド面と、を備え、
前記伸縮リンクは、スライド溝が形成されて前記第３ピン節点に一端が連結された固定側リンクと、一端は前記第５ピン節点に連結されるとともに他端は前記スライド溝に差し込まれるスライドピンが取り付けられたスライド側リンクと、を備え、
前記プラテンユニットが前記第１移動軌跡から前記第２移動軌跡に移ると前記スライドピンが前記リンクガイド面に乗り上げて前記伸縮リンクが伸長状態に保持され、前記プラテンユニットが前記第２移動軌跡から前記第１移動軌跡に移ると前記スライドピンが前記リンクガイド面から外れて前記伸縮リンクが伸縮自在になる請求項４ないし６のいずれか１項に記載のプラテン支持機構。
【請求項９】
請求項１ないし８のうちのいずれかの項に記載のプラテン支持機構と、
ロール紙を収納するロール紙収納部と、
前記ロール紙収納部を開閉する開閉蓋と、
印刷ヘッドの印刷位置を規定するプラテンを備え、前記開閉蓋の開閉に連動して前記印刷位置を規定している状態にある閉じ位置と、前記閉じ位置から離れた開き位置との間で移動するプラテンユニットと、
前記プラテンユニットを、前記閉じ位置から第１移動軌跡に沿って前記開き位置に至る途中の途中位置までガイドするガイド機構と、
第１リンクおよび第２リンクが第１ピン節点を介して連結された第１複合リンク、第３リンクおよび第４リンクが第２ピン節点を介して連結された第２複合リンク、及び前記第１複合リンクの前記第１ピン節点と前記第２複合リンクの前記第２ピン節点との間に架け渡されている第５リンクを備え、前記途中位置から前記開き位置まで前記プラテンユニットを第２移動軌跡に沿って移動させる６節リンク機構と、を有し、
前記第１複合リンクの一端および前記第２複合リンクの一端は、前記プラテンユニットの前記閉じ位置から前記開き位置への開き方向に沿って見た場合に、所定の距離だけ離れた第３ピン節点および第４ピン節点に連結され、
前記第１複合リンクの他端および前記第２複合リンクの他端は、前記開き方向に沿って見た場合に、所定の距離だけ離れた部位に第５ピン節点および第６ピン節点を介して連結され、
前記プラテンユニットが前記第１移動軌跡上にある状態では、前記第３ピン節点と前記第５ピン節点との間の第１間隔、および、前記第４ピン節点と前記第６ピン節点との間の第２間隔が共に最大間隔よりも狭く、前記プラテンユニットが前記第２移動軌跡上に移ると、前記第１間隔および前記第２間隔が前記最大間隔に広がることを特徴とするロール紙プリンター。
【請求項１０】
前記ロール紙収納部に収納された前記ロール紙から繰り出される記録媒体を、前記印刷位置を経由して搬送する紙送りローラー対を有し、
前記プラテンユニットには前記紙送りローラー対の一方のローラーが搭載される請求項９に記載のロール紙プリンター。
【手続補正２】
【補正対象書類名】明細書
【補正対象項目名】発明の名称
【補正方法】変更
【補正の内容】
【発明の名称】プラテン支持機構およびロール紙プリンター
【手続補正３】
【補正対象書類名】明細書
【補正対象項目名】０００９
【補正方法】変更
【補正の内容】
【０００９】
上記の課題を解決するために、本発明は、
印刷ヘッドの印刷位置を規定するプラテンを備え、前記印刷位置を規定している状態にある閉じ位置と、当該閉じ位置から離れた開き位置との間で移動するプラテンユニットと、
前記プラテンユニットを、前記閉じ位置から第１移動軌跡に沿って前記開き位置に至る途中の途中位置までガイドするガイド機構と、
第１リンクおよび第２リンクが第１ピン節点を介して連結された第１複合リンク、第３リンクおよび第４リンクが第２ピン節点を介して連結された第２複合リンク、及び前記第１複合リンクの前記第１ピン節点と前記第２複合リンクの前記第２ピン節点との間に架け渡されている第５リンクを備え、前記途中位置から前記開き位置まで前記プラテンユニットを第２移動軌跡に沿って移動させる６節リンク機構と、を有し、
前記第１複合リンクの一端および前記第２複合リンクの一端は、前記プラテンユニットの前記閉じ位置から前記開き位置への開き方向に沿って見た場合に、所定の距離だけ離れた第３ピン節点および第４ピン節点に連結され、
前記第１複合リンクの他端および前記第２複合リンクの他端は、前記開き方向に沿って見た場合に、所定の距離だけ離れた部位に第５ピン節点および第６ピン節点を介して連結され、
前記プラテンユニットが前記第１移動軌跡上にある状態では、前記第３ピン節点と前記第５ピン節点との間の第１間隔、および、前記第４ピン節点と前記第６ピン節点との間の第２間隔が共に最大間隔よりも狭く、前記プラテンユニットが前記第２移動軌跡上に移ると、前記第１間隔および前記第２間隔が最大間隔に広がることを特徴としている。
【手続補正４】
【補正対象書類名】明細書
【補正対象項目名】００２５
【補正方法】変更
【補正の内容】
【００２５】
本発明のロール紙プリンターは、
上記構成のプラテン支持機構と、
ロール紙を収納するロール紙収納部と、
前記ロール紙収納部を開閉する開閉蓋と、
印刷ヘッドの印刷位置を規定するプラテンを備え、前記開閉蓋の開閉に連動して前記印刷位置を規定している状態にある閉じ位置と、前記閉じ位置から離れた開き位置との間で移動するプラテンユニットと、
前記プラテンユニットを、前記閉じ位置から第１移動軌跡に沿って前記開き位置に至る途中の途中位置までガイドするガイド機構と、
第１リンクおよび第２リンクが第１ピン節点を介して連結された第１複合リンク、第３リンクおよび第４リンクが第２ピン節点を介して連結された第２複合リンク、及び前記第１複合リンクの前記第１ピン節点と前記第２複合リンクの前記第２ピン節点との間に架け渡されている第５リンクを備え、前記途中位置から前記開き位置まで前記プラテンユニットを第２移動軌跡に沿って移動させる６節リンク機構と、を有し、
前記第１複合リンクの一端および前記第２複合リンクの一端は、前記プラテンユニットの前記閉じ位置から前記開き位置への開き方向に沿って見た場合に、所定の距離だけ離れた第３ピン節点および第４ピン節点に連結され、
前記第１複合リンクの他端および前記第２複合リンクの他端は、前記開き方向に沿って見た場合に、所定の距離だけ離れた部位に第５ピン節点および第６ピン節点を介して連結され、
前記プラテンユニットが前記第１移動軌跡上にある状態では、前記第３ピン節点と前記第５ピン節点との間の第１間隔、および、前記第４ピン節点と前記第６ピン節点との間の第２間隔が共に最大間隔よりも狭く、前記プラテンユニットが前記第２移動軌跡上に移ると、前記第１間隔および前記第２間隔が前記最大間隔に広がることを特徴としている。